(57)【特許請求の範囲】
【請求項１】
床スラブ上に固定される複数の支柱と、該支柱の上部に設けられたパネル支持部と、該パネル支持部に間隔をおいて支持された複数のフロアパネルと、該フロアパネルの上面に敷設された通気性タイルカーペットとを備え、各フロアパネル間にスリット状の吹出口を形成すると共に、前記支柱に挿入され前記パネル支持部上に固定されたスペーサと、該スペーサに形成された十字状の凸部とを備え、フロアパネルの四隅を前記凸部に当接させることを特徴とする床吹出し空調における二重床構造。
【請求項２】
前記通気性タイルカーペットの合わせ目が前記吹出口を横断する部分に、遮蔽部材を設けたことを特徴とする請求項１記載の床吹し空調における二重床構造。
【請求項３】
前記通気性タイルカーペットの合わせ目と吹出口が一致する箇所において、隣接する支柱のパネル支持部間にカバー部材を橋架したことを特徴とする請求項１ないし２のいずれかに記載の床吹出し空調における二重床構造。
【請求項４】
前記スリット状の吹出口において、隣接する支柱のパネル支持部間に平板状のバー部材を橋架したことを特徴とする請求項１ないし３のいずれかに記載の床吹出し空調における二重床構造。
【請求項５】
前記スリット状の吹出口において、隣接する支柱のパネル支持部間に多数の吹出孔を有する有孔チャンネル部材を橋架したことを特徴とする請求項１ないし４のいずれかに記載の床吹出し空調における二重床構造。
【発明の詳細な説明】
【０００１】
【発明の属する技術分野】
本発明は、オフィスビル等の建物に二重床を敷設し、二重床の全面から室内に空調エアを吹き出す床吹出し空調方式の技術分野に属する。
【０００２】
【従来の技術】
従来、建物の床スラブ上に二重床を構築し、二重床内にＯＡ機器用の配線を収納する所謂ＯＡフロアが広く採用され、また、二重床の全面から室内に空調エアを吹き出す全面床吹き出し空調方式が採用され始めている。図８は、従来の床吹き出し空調における二重床構造を示し、図８（Ａ）はフロアパネル単体の平面図、図８（Ｂ）は図８（Ａ）の断面図、図８（Ｃ）はフロアパネルの支持構造を示す断面図である。
【０００３】
床スラブ１上には支柱２が立設され、支柱２上に多数のフロアパネル３が敷設され、この構成により、フロアパネル３の下部即ち二重床内には給気チャンバー４が形成される。フロアパネル３には、複数の給気拡散用の溝３ａが形成され、また、溝３ａ内に複数の吹出孔３ｂが形成されている。さらに、フロアパネル３の四隅底面には嵌合穴３ｃが形成され、また、フロアパネル３の四隅には円弧状の段差部３ｄが形成されている。
【０００４】
フロアパネル３を支持する支柱２は、床スラブ１に接着材により固定されるベース部２ａと、ベース部２ａ上に立設された下部柱部２ｂおよび上部柱部２ｃと、上部柱部２ｃに上下動可能に螺合された支持筒２ｄと、支持筒２ｄの上面に一体に設けられたフランジ状の支持部２ｅと、支持筒２ｄを固定するための調整ネジ２ｆと、支持部２ｅ上に突設された４つの突起２ｇからなっている。互いに隣接するフロアパネル３、３は、その四隅を支柱２の支持部２ｅに支持し、嵌合穴３ｃを突起２ｇに嵌合させて仮固定した後、段差部３ｄにワッシャー５をおき、ボルト６を支持筒２ｄ内に螺合することにより固定する構造となっている。
【０００５】
【発明が解決しようとする課題】
上記従来の二重床構造は、床吹出し空調のためダクトが不要となりダクト価格を大幅に低減させることができるが、フロアパネルが繊維強化セメント製で、パネルに多数の溝３ａや吹出孔３ｂを形成するため、型が複雑なこともあり製造コストが高いという問題を有している。
【０００６】
本発明は、上記従来の問題を解決するものであって、フロアパネルの吹出孔を不要とすることによりローコストで床吹出し空調用の二重床を構成することができる二重床構造を提供することを目的とする。
【０００７】
【課題を解決するための手段】
そのために、本発明の請求項１記載の床吹出し空調における二重床構造、床スラブ上に固定される複数の支柱６と、該支柱の上部に設けられたパネル支持部６ｃと、該パネル支持部に間隔をおいて支持された複数のフロアパネル７と、該フロアパネルの上面に敷設された通気性タイルカーペット１１とを備え、各フロアパネル７間にスリット状の吹出口９を形成すると共に、前記支柱６に挿入され前記パネル支持部上に固定されたスペーサ８と、該スペーサに形成された十字状の凸部８ａとを備え、フロアパネルの四隅を前記凸部に当接させることを特徴とし、請求項２記載の発明は、請求項１において、前記通気性タイルカーペット１１の合わせ目１１ａが前記吹出口９を横断する部分に、遮蔽部材１２を設けたことを特徴とし、請求項３記載の発明は、請求項１〜２において、前記通気性タイルカーペットの合わせ目１１ａと吹出口９が一致する箇所に、隣接する支柱６のパネル支持部６ｃ間にカバー部材１３を橋架したことを特徴とし、請求項４記載の発明は、請求項１〜３において、前記スリット状の吹出口９に平板状のバー部材１４を橋架したことを特徴とし、請求項５記載の発明は、請求項１〜４において、前記スリット状の吹出口９において、隣接する支柱６のパネル支持部６ｃ間に多数の吹出孔１６ａを有する有孔チャンネル部材１６を橋架したことを特徴とする。なお、上記構成に付加した番号は、本発明の理解を容易にするために図面と対比させるもので、これにより本発明の構成が何ら限定されるものではない。
【０００８】
【発明の実施の形態】
以下、本発明の実施の形態を図面に基づいて説明する。図１は、本発明の床吹出し空調における二重床構造の１実施形態を示し、図１（Ａ）は模式的平面図、図１（Ｂ）は図１（Ａ）の要部平面図、図１（Ｃ）は図１（Ｂ）の断面図である。
【０００９】
図１（Ｂ）、図１（Ｃ）において、床スラブ１上には支柱６が立設され、支柱６上に多数のフロアパネル７が敷設され、この構成により、フロアパネル７の下部即ち二重床内には給気チャンバー４が形成される。フロアパネル７は、通常のＯＡフロアで用いられるパネルであり、孔無し若しくは軽量化のために少数の穴が形成されたものを採用する。フロアパネル７の四隅には矩形状または円弧状の段差部７ａが形成されている。
【００１０】
フロアパネル７を支持する支柱６は、床スラブ１に接着材により固定されるベース部６ａと、ベース部６ａ上に立設された柱部６ｂと、柱部６ｂの上部に固定された矩形状のパネル支持部６ｃからなり、柱部６ａの上端にはスペーサ８が挿入されパネル支持部６ｃ上に支持されている。このスペーサ８は、十字状に４つの凸部８ａが形成され、高さはフロアパネル７の段差部７ａと面一になるようにする。そして、互いに隣接するフロアパネル７、７、…  …の四隅を支柱６のパネル支持部６ｃに載せて、各フロアパネル７、７、…  …の角部をスペーサ８の凸部８ａに当接させて固定する。これにより各フロアパネル７、７、…  …間にはスリット状の吹出口９が格子状に形成されることになる。
【００１１】
次に、各フロアパネル７、７、…  …の段差部７ａにパネル押さえ部材１０を嵌合する。なお、図１（Ｂ）はパネル押さえ部材１０を取り外した状態を示す図である。そして、図１（Ａ）に示すように各フロアパネル７、７、…  …の上面に複数の通気性タイルカーペット１１を敷設する。この場合、通気性タイルカーペット１１の合わせ目１１ａが吹出口９を横断する部分には、隙間から通風量が過大となり汚れや風量分布の悪化を生じる可能性がある。そこで、合わせ目１１ａの下方をアルミテープ等の遮蔽部材１２で部分的に塞ぐようにしている。
【００１２】
図２は、本発明の他の実施形態を示し、図２（Ａ）は側面図、図２（Ｂ）は断面図である。図１（Ａ）に示すように、フロアパネル７の寸法と通気性タイルカーペット１１の寸法は一般的に異なるため、通気性タイルカーペット１１の合わせ目１１ａと吹出口９が一致してしまう場合が生じる。そこで、本実施形態においては、隣接する支柱６のパネル支持部６ｃ間にカバー部材１３を橋架して合わせ目１１ａの隙間から通風量が過大となるのを防止する。なお、カバー部材１３の両端には、フロアパネル７と同様に段差部１３ａが形成されている。
【００１３】
図３は、本発明の他の実施形態を示す図１（Ｂ）と同様の平面図である。本実施形態は、通風量を増大させるために、スリット状の吹出口９の隙間を広くしたい場合の例であり、ハイヒール等の踵の落ち込みを防止するために、隣接する支柱６に支持されたスペーサ８部間に平板状のバー部材１４を橋架している。
【００１４】
図４〜図７は、本発明の他の実施形態を示し、図４（Ａ）は平面図、図４（Ｂ）は一部断面図、図４（Ｃ）は図４（Ｂ）の平面図、図５は取付方法を説明するための図である。なお、以下の説明で前記実施形態と同一の構成については同一番号を付して説明を省略する場合がある。
【００１５】
前記実施形態においては、スリット状の吹出口９を格子状に形成したが、本実施形態においては、スリット状の吹出口９を一方向にライン状に形成している。そのために、隣接するフロアパネル７、７を支柱６のパネル支持部６ｃに間隔をおいて載置し、これによりフロアパネル７、７間にはスリット状の吹出口９を形成する。フロアパネル７、７の隙間にはパネル押さえ部材１０が嵌合される。パネル押さえ部材１０は、両端に形成された係止片１０ａと、係止片１０ａ間に形成された凹部１０ｂとを有し、凹部１０ｂをフロアパネル７、７の隙間に挿入し、係止片１０ａをフロアパネル７の段差部７ａに係止し、パネル押さえ部材１０をボルト１５により支柱６に固定している。
【００１６】
そして、パネル押さえ部材１０の凹部１０ｂに本実施形態の特徴である有孔チャンネル部材１６を嵌合させている。有孔チャンネル部材１６は、支柱６のパネル支持部６ｃに橋架される長尺の樋状部材６であり、表面に多数の吹出孔１６ａが形成されている。この有孔チャンネル部材１６は、ロール成型品をそのまま使用可能でありローコスト化できる。また、有孔チャンネル部材１６の幅を、パネル押さえ部材１０の凹部１０ｂの幅より若干多めにすることにより、バネ作用により確実に固定するようにしている。
【００１７】
従って、地震時には、支柱６、有孔チャンネル部材１６を介してフロアパネル７全面に応力が伝達されるため、支柱６に応力が集中することなく、フロアパネル７端部の欠損を防止することができる。なお、有孔チャンネル部材１６が無い場合には、フロアパネル７間の隙間のために、各パネル７が独立して動き、かつ地震力も支柱６に固定されている部分に集中し、パネル７端部を破壊してしまう可能性がある。
【００１８】
図６は、図４の実施形態の変形例を示す平面図である。本例は、図１の実施形態と同様にスリット状の吹出口９を格子状に形成し、この吹出口に有孔チャンネル部材１６を装着している。本例によれば、送風量が大きい場合に通気性タイルカーペットへの通気抵抗を軽減し、空調空気をより均一に室内に吹き出すことができる。
【００１９】
図７は、図４の実施形態の変形例を示し、図７（Ａ）は平面図、図７（Ｂ）は有孔チャンネル部材の斜視図、図７（Ｃ）は断面図である。本例においては、有孔チャンネル部材１６に凹部１６ｂを形成し、この凹部１６ｂを図４（Ｂ）のパネル押さえ部材１０に載せ、ボルト１５により支柱６に固定している。従って、各支柱６が有孔チャンネル部材１６により緊結されるため、面剛性が大きくなり耐震性能がより向上されることになる。また、固定用のボルト１５の穴がガイドになるため、支柱６の位置だしが容易となる。
【００２０】
【発明の効果】
以上の説明から明らかなように、本発明によれば、フロアパネルの吹出孔を不要とすることによりローコストで床吹出し空調用の二重床を構成することができる。また、フロアパネル吹出口の隙間分だけフロアパネルの枚数が削減できるとともに、通風量を確保するために隙間を広げる必要がある場合にもバー部材で容易に対応することができる。さらに、吹出口の隙間に有孔チャンネル部材を装着することにより耐震性能を向上させることができる。
【図面の簡単な説明】
【図１】本発明の床吹出し空調における二重床構造の１実施形態を示し、図１（Ａ）は模式的平面図、図１（Ｂ）は図１（Ａ）の要部平面図、図１（Ｃ）は図１（Ｂ）の断面図である。
【図２】本発明の他の実施形態を示し、図２（Ａ）は側面図、図２（Ｂ）は断面図である。
【図３】本発明の他の実施形態を示す図１（Ｂ）と同様の平面図である。
【図４】本発明の他の実施形態を示し、図４（Ａ）は平面図、図４（Ｂ）は一部断面図、図４（Ｃ）は図４（Ｂ）の平面図である。
【図５】有孔チャンネル部材の取付方法を説明するための図である。
【図６】図４の実施形態の変形例を示す平面図である。
【図７】図４の実施形態の変形例を示し、図７（Ａ）は平面図、図７（Ｂ）は有孔チャンネル部材の斜視図、図７（Ｃ）は断面図である。
【図８】従来の床吹き出し空調における二重床構造を示し、図８（Ａ）はフロアパネル単体の平面図、図８（Ｂ）は図８（Ａ）の断面図、図８（Ｃ）はフロアパネルの支持構造を示す断面図である。
【符号の説明】
１…床スラブ
６…支柱
６ｃ…パネル支持部
７…フロアパネル
８…スペーサ
８ａ…凸部
９…吹出口
１１…通気性タイルカーペット
１１ａ…合わせ目
１２…遮蔽部材
１３…カバー部材
１４…バー部材
１６…有孔チャンネル部材
【図１】
0004129659.tif 000002
【図２】
0004129659.tif 000003
【図３】
0004129659.tif 000004
【図４】
0004129659.tif 000005
【図５】
0004129659.tif 000006
【図６】
0004129659.tif 000007
【図７】
0004129659.tif 000008
【図８】
0004129659.tif 000009